(57)【特許請求の範囲】
【請求項１】
複数の回路の各々について電力に関する計測値を計測するために計測装置が使用する計測条件を記憶部に設定する設定部を備え、
前記複数の回路は、分電盤によって電力が分配される複数の分岐電路を含み、
前記設定部は、前記計測条件を設定する設定モードとして、
操作入力に応じて前記複数の回路の各々について前記計測条件を前記記憶部に個別に設定する第１モードと、
前記複数の回路のうち２以上の回路についての前記計測条件を他の機器から一括して取得し、一括して取得した前記計測条件を前記記憶部に設定する第２モードと、を備えるように構成されたことを特徴とする設定装置。
【請求項２】
前記他の機器とネットワークを経由して通信を行うように構成され、
前記設定部は、前記第２モードにおいて、前記他の機器からネットワークを経由して前記計測条件を取得するように構成されたことを特徴とする請求項１に記載の設定装置。
【請求項３】
前記設定部は、前記第２モードにおいて、前記分電盤の種類を特定するための盤情報を前記他の機器に送信し、前記他の機器から、前記盤情報に対応付けて記憶された前記計測条件を取得するように構成された、ことを特徴とする請求項１又は２に記載の設定装置。
【請求項４】
前記設定部は、前記第１モードにおいて、前記記憶部に設定する前記計測条件の内容を変更すると、変更後の前記計測条件を前記他の機器に送信して前記他の機器に記憶させるように構成されたことを特徴とする請求項１〜３の何れか１項に記載の設定装置。
【請求項５】
前記他の機器である記憶媒体が着脱自在に接続されるインタフェースをさらに備え、
前記設定部は、前記第２モードにおいて、前記インタフェースに接続された前記記憶媒体から前記計測条件を取得するように構成されたことを特徴とする請求項１〜４の何れか１項に記載の設定装置。
【請求項６】
請求項１〜５の何れか１項に記載の設定装置と、
幹線に接続される主幹ブレーカと、
前記主幹ブレーカの二次側に接続されて、電力を前記複数の分岐電路に分岐させる複数の分岐ブレーカと、
前記設定装置、前記主幹ブレーカ、及び前記複数の分岐ブレーカを収納する分電盤用キャビネットとを備えたことを特徴とする分電盤。
【請求項７】
請求項１〜５の何れか１項に記載された設定装置を複数備え、
前記複数の設定装置のうち、前記計測条件の設定を行う設定装置の前記設定部は、前記第２モードにおいて、前記他の機器である他の設定装置から前記計測条件を取得するように構成されたことを特徴とする計測システム。
【請求項８】
請求項１〜５の何れか１項に記載された設定装置と、
前記計測条件を記憶装置に記憶するサーバ装置とを備え、
前記設定装置と前記サーバ装置とはネットワーク経由で通信を行うように構成され、
前記設定装置の前記設定部は、前記第２モードにおいて、前記他の機器である前記サーバ装置から前記記憶装置に記憶された前記計測条件を取得するように構成されたことを特徴とする計測システム。
【発明の詳細な説明】
【技術分野】
【０００１】
本発明は、設定装置、分電盤、及び計測システムに関し、より詳細には、電力を分岐電路に分配する分電盤に使用される設定装置、分電盤、及び計測システムに関する。
【背景技術】
【０００２】
従来、個々の分岐電路の消費電力を演算する電力計測装置を備えた分電盤が提案されている（例えば特許文献１参照）。この分電盤では、電力計測装置に接続されたパーソナルコンピュータなどの設定装置を用いて、電力計測装置の入力端子ごとに消費電力を演算する条件を設定していた。
【先行技術文献】
【特許文献】
【０００３】
【特許文献１】特開２０１３−２３３０３２号公報
【発明の概要】
【発明が解決しようとする課題】
【０００４】
特許文献１に記載された分電盤では、電力計測装置が備える複数の入力端子の各々について演算する条件（計測条件）を設定装置で一つ一つ設定しているため、演算する条件の設定に手間がかかるという問題があった。
【０００５】
本発明は上記課題に鑑みてなされ、計測条件を一つ一つ設定する場合に比べて設定の手間を少なくした設定装置、分電盤、及び計測システムを提供することを目的とする。
【課題を解決するための手段】
【０００６】
本発明の設定装置は、複数の回路の各々について電力に関する計測値を計測するために計測装置が使用する計測条件を記憶部に設定する設定部を備え、前記複数の回路は、分電盤によって電力が分配される複数の分岐電路を含み、前記設定部は、前記計測条件を設定する設定モードとして、操作入力に応じて前記複数の回路の各々について前記計測条件を前記記憶部に個別に設定する第１モードと、前記複数の回路のうち２以上の回路についての前記計測条件を他の機器から一括して取得し、一括して取得した前記計測条件を前記記憶部に設定する第２モードと、を備えるように構成されたことを特徴とする。
【０００７】
本発明の分電盤は、上記の設定装置と、幹線に接続される主幹ブレーカと、前記主幹ブレーカの二次側に接続されて、電力を前記複数の分岐電路に分岐させる複数の分岐ブレーカと、前記設定装置、前記主幹ブレーカ、及び前記複数の分岐ブレーカを収納する分電盤用キャビネットとを備えたことを特徴とする。
【０００８】
本発明の計測システムは、上記の設定装置を複数備え、前記複数の設定装置のうち、前記計測条件の設定を行う設定装置の前記設定部は、前記第２モードにおいて、前記他の機器である他の設定装置から前記計測条件を取得するように構成されたことを特徴とする。
【０００９】
本発明の計測システムは、上記の設定装置と、前記計測条件を記憶装置に記憶するサーバ装置とを備え、前記設定装置と前記サーバ装置とはネットワーク経由で通信を行うように構成される。前記設定装置の前記設定部は、前記第２モードにおいて、前記他の機器である前記サーバ装置から前記記憶装置に記憶された前記計測条件を取得するように構成されたことを特徴とする。
【発明の効果】
【００１０】
本発明によれば、計測条件を一つ一つ設定する場合に比べて設定の手間を少なくした設定装置、分電盤、及び計測システムを提供することを目的とする。
【図面の簡単な説明】
【００１１】
【図１】実施形態１に係る計測システムの概略的な構成図である。
【図２】実施形態１に係る分電盤を示し、外蓋を外した状態の正面図である。
【図３】実施形態１に係る分電盤を示し、外蓋及び内蓋を外した状態の正面図である。
【図４】実施形態１に係る分電盤の要部を示す分解斜視図である。
【図５】実施形態１に係る設定装置の正面図である。
【図６】実施形態２に係る計測システムの概略的な構成図である。
【発明を実施するための形態】
【００１２】
（実施形態１）
以下、本実施形態に係る設定装置、分電盤、及び計測システムについて図面を参照して説明する。ただし、以下に説明する構成は本発明の一例に過ぎない。本発明は、以下の実施形態に限定されず、本発明に係る技術的思想を逸脱しない範囲であれば、設計等に応じて種々の変更が可能である。
【００１３】
本実施形態の計測システム１は、図１に示すように、分電盤１００によって電力が分配される複数の分岐電路２０２及び増設回路（例えば主幹ブレーカや別の分電盤の回路）の各々について電力に関する計測値を計測する。以下の実施形態では、分電盤１００が戸建ての住宅からなる建物Ｂ１で使用される場合を例示するが、この例に限らない。すなわち、本実施形態の分電盤１００は需要家（facility）に設けられており、例えば集合住宅の各住戸、事務所、店舗、工場などの建物で使用されてもよい。また、以下では、分電盤１００が壁に取り付けられた状態での左右方向（図２、図３におけるＸ方向）を左右方向、上下方向（図２、図３におけるＹ方向）を上下方向とし、壁と垂直な方向（図２、図３におけるＺ方向）を前後方向として説明する。分電盤１００を取り付ける向きを上記の方向に限定する趣旨ではない。
【００１４】
分電盤１００は、図２及び図３に示すように、分電盤用キャビネット１１０と、主幹ブレーカ１０と、複数の分岐ブレーカ２０と、分岐電流センサ３０（図４参照）と、計測ユニット４０と、設定装置５０と、第１通信アダプタ６０と、第２通信アダプタ７０とを備えている。
【００１５】
分電盤用キャビネット１１０は、キャビネット本体１１１を備えている。キャビネット本体１１１は、前面が開口した箱状に形成されている。キャビネット本体１１１は、住宅の壁等に取り付けて使用される。キャビネット本体１１１は、その内部に少なくとも主幹ブレーカ１０と、複数の分岐ブレーカ２０と、分岐電流センサ３０と、計測ユニット４０と、設定装置５０と、第１通信アダプタ６０と、第２通信アダプタ７０とを収納する空間を有している。
【００１６】
キャビネット本体１１１の背面には、前後方向に貫通する窓孔１１２が設けられている。この窓孔１１２を通して壁裏からキャビネット本体１１１の内部に配線を引き込むことが可能である。
【００１７】
キャビネット本体１１１には、図２に示すように、キャビネット本体１１１の前面の開口部１１４を塞ぐ内蓋１２０が取り付けられる。内蓋１２０は、例えば合成樹脂製であって、後面の略全体が開口した矩形枠状に形成されており、キャビネット本体１１１の側壁の前端部にかぶさるようにしてキャビネット本体１１１に取り付けられる。内蓋１２０の前面には矩形の窓孔１２１が形成されている。内蓋１２０には、窓孔１２１を塞ぐようにして、複数枚（本実施形態では４枚）の蓋板１２２〜１２５が着脱自在に取り付けられる。４枚の蓋板１２２〜１２５は、上下方向の寸法が窓孔１２１の上下方向における開口寸法とほぼ同じ寸法に設定されており、左右方向に並ぶようにして内蓋１２０に取り付けられる。窓孔１２１が蓋板１２２〜１２５で塞がれた内蓋１２０をキャビネット本体１１１の前側に取り付けることによって、キャビネット本体１１１の開口部１４が内蓋１２０で塞がれた状態となる。すなわち、内蓋１２０と、この内蓋１２０に取り付けられた蓋板１２２〜１２５とで、キャビネット本体１１１の前面の開口部１４を覆う蓋が構成されている。また、分電盤用キャビネット１１０は、キャビネット本体１１１と、蓋板１２２〜１２５が取り付けられた内蓋１２０とを含む。なお、内蓋１２０と蓋板１２２〜１２５の少なくとも１つ以上とは、一体的に形成されてもよい。
【００１８】
図２において左端に位置する蓋板１２２は、設定装置５０、第１通信アダプタ６０、及び第２通信アダプタ７０の前面を覆うようにして内蓋１２０に取り付けられる。蓋板１２２には、蓋板１２２を前後方向に貫通する貫通孔１２６，１２７が、上下に並べて設けられている。本実施形態では、設定装置５０の表示部５０９が上側の貫通孔１２６から露出し、設定装置５０の操作ボタン５０８が下側の貫通孔１２７から露出している。
【００１９】
図２において左端から２番目に位置する蓋板１２３は、キャビネット本体１１１の内部で一次連系ブレーカが取り付けられる収納スペースを覆うようにして内蓋１２０に取り付けられる。
【００２０】
図２において左端から３番目に位置する蓋板１２４は、主幹ブレーカ１０の前面を覆うようにして内蓋１２０に取り付けられている。蓋板１２４の孔１２８を通して、主幹ブレーカ１０のハンドルが前面側に露出する。
【００２１】
図２において右端に位置する蓋板１２５は、複数の分岐ブレーカ２０及び二次連系ブレーカ２００の前面を覆うようにして内蓋１２０に取り付けられている。複数の分岐ブレーカ２０は、キャビネット本体１１１の右側の収納スペースに上下２列に分かれて配置されている。蓋板１２５には、左右方向に細長い矩形の窓孔１２９が上下２箇所に設けられている。上側の窓孔１２９からは、上側の列に並んでいる分岐ブレーカ２０のハンドル部分が露出している。下側の窓孔１２９からは、下側の列に並んでいる分岐ブレーカ２０及び二次連系ブレーカ２００のハンドル部分が露出している。
【００２２】
また、キャビネット本体１１１には、内蓋１２０及び蓋板１２２〜１２５の前面を覆うように外蓋が取り付けられる。外蓋は、キャビネット本体１１１の上部に設けられたヒンジ機構を介してキャビネット本体１１１に開閉自在に取り付けられている。外蓋が開けられた状態では、図２に示すように内蓋１２０及び蓋板１２２〜１２５の前面が露出しており、表示部５０９の表示内容が目視可能となり、操作ボタン５０８が操作可能となる。また、外蓋が開けられた状態では、主幹ブレーカ１０や分岐ブレーカ２０や一次連系ブレーカや二次連系ブレーカ２００のハンドルが操作可能となる。なお、分電盤用キャビネット１１０は、キャビネット本体１１１に外蓋が取り付けられておらず、内蓋１２０が常に露出するような形状でもよい。
【００２３】
主幹ブレーカ１０は、一次側端子１１と、二次側端子とを備えている。主幹ブレーカ１０は、キャビネット本体１１１の左右方向における中央付近でやや下寄りの位置に取り付けられている。一次側端子１１には、系統電源（商用電源）の単相三線式の引き込み線２０１が電気的に接続される。二次側端子は、図４に示すような導電バー１４０，１５０，１６０に電気的に接続される。導電バー１４０，１５０，１６０は、それぞれ導電部材により左右方向に長い長尺板状に形成されており、取付ベース１３０の前面に取り付けられている。本実施形態の分電盤１００では、配電方式として単相三線式を想定しているので、導電バー１４０は第１電圧極（Ｌ１相）の導電バー、導電バー１５０は第２電圧極（Ｌ２相）の導電バー、導電バー１６０は中性極（Ｎ相）の導電バーとして用いられる。取付ベース１３０の前面には、第１電圧極の導電バー１４０と第２電圧極の導電バー１５０とが上下に並べて取り付けられている。導電バー１４０，１５０はその長手方向が左右方向と並行になるようにして取付ベース１３０に取り付けられている。取付ベース１３０の上下方向における中央部には前側に突出する支柱が設けられ、この支柱の前側には、導電バー１４０，１５０と並行するようにして中性極の導電バー１６０が配置される。これら３本の導電バー１４０，１５０，１６０が取り付けられた取付ベース１３０は、各導電バー１４０，１５０，１６０の長手方向が左右方向と並行するようにして、主幹ブレーカ１０の右側に配置され、キャビネット本体１１１に固定されている。
【００２４】
各分岐ブレーカ２０は、キャビネット本体１１１の内部において、中性極の導電バー１６０の上側と下側とに分かれて配置されている。図３の例では、中性極の導電バー４３の上側に１１個の分岐ブレーカ２０が左右方向に並ぶように配置され、中性極の導電バー４３の下側に１１個の分岐ブレーカ２０が左右方向に並ぶように配置されている。分岐ブレーカ２０には１００Ｖ用と２００Ｖ用がある。１００Ｖ用の分岐ブレーカ２０が備える一次側端子は、電圧極である導電バー１４０及び導電バー１５０のうちの一方と、中性極の導電バー１６０とにそれぞれ電気的に接続される。２００Ｖ用の分岐ブレーカ２０が備える一次側端子は、第１電圧極の導電バー１４０と、第２電圧極の導電バー１５０とにそれぞれ電気的に接続される。分岐ブレーカ２０の二次側端子には、対応する分岐電路２０２が電気的に接続される。各分岐電路２０２には、例えば照明器具８１、冷凍冷蔵庫８３、空調装置８４、テレビ受像器、給湯設備等の機器や、スイッチ装置８２、コンセント（アウトレット）等の配線器具が負荷として接続される。
【００２５】
図４に示すように、第１電圧極の導電バー１４０は、複数の分岐ブレーカ２０の各々に対応する位置において、上方及び下方に突出する複数の接続端子１４１を有している。また、第２電圧極の導電バー１５０は、複数の分岐ブレーカ２０の各々に対応する位置において、上方及び下方に突出する複数の接続端子１５１を有している。図４に示すように、中性極となる導電バー１６０の上側では、前後方向の前側（壁とは反対側）から導電バー１６０（中性極）、接続端子１５１（第２電圧極）、接続端子１４１（第１電圧極）の順番に配置されている。また、中性極となる導電バー１６０の下側では、前後方向の前側（壁とは反対側）から導電バー１６０（中性極）、接続端子１４１（第１電圧極）、接続端子１５１（第２電圧極）の順番に配置されている。
【００２６】
各分岐ブレーカ２０は、導電バー１６０と接続端子１４１と接続端子１５１とがそれぞれ差し込まれる差込口２１を有している。一次側端子は、３カ所ある差込口２１のうち２カ所の差込口２１内に露出するように設けられている。１００Ｖ用の分岐ブレーカ２０では前後方向の両端にある差込口２１内に一次側端子がそれぞれ設けられ、２００Ｖ用の分岐ブレーカ２０では前後方向の中間にある差込口２１と後側にある差込口２１とにそれぞれ一次側端子が設けられている。
【００２７】
したがって、１００Ｖ用の分岐ブレーカ２０が導電バー１６０の上側に取り付けられた場合、この分岐ブレーカ２０の一次側端子は第１電圧極の導電バー１４０と中性極の導電バー１６０とに電気的に接続される。１００Ｖ用の分岐ブレーカ２０が導電バー１６０の下側に取り付けられた場合、この分岐ブレーカ２０の一次側端子は第２電圧極の導電バー１５０と中性極の導電バー１６０とに電気的に接続される。一方、２００Ｖ用の分岐ブレーカ２０は、導電バー１６０の上側および下側の何れに取り付けられた場合でも、第１電圧極の導電バー１４０と第２電圧極の導電バー１５０とに電気的に接続される。
【００２８】
分岐電流センサ３０は、複数の分岐ブレーカ２０の各々に接続された分岐電路２０２に流れる電流（以下、「負荷電流」という）を個別に計測するように構成されている。分岐電流センサ３０は、図４に示すように、基板３１と、複数のコイル３２と、複数の計測部（半導体装置）３３と、演算部３４とを備えている。
【００２９】
基板３１は、左右方向を長辺とする矩形板状の多層プリント基板である。基板３１には、厚み方向に貫通する複数の第１孔３５が左右方向（基板３１の長手方向）に一定の間隔で並ぶように設けられている。また、基板３１には、厚み方向に貫通する複数の第２孔３６が左右方向に一定の間隔で並ぶように設けられている。複数の第２孔３６の各々は、対応する第１孔３５と前後方向に並ぶようにして、対応する第１孔３５の後側に設けられている。第１孔３５および第２孔３６は、接続端子１４１，１５１のうちの何れもが貫通可能な形状に形成されている。この基板３１は、接続端子１４１，１５１のうちの一方を第１孔３５に貫通させ、接続端子１４１，１５１のうちの他方を第２孔３６に貫通させた状態で、取付ベース１３０に取り付けられる。
【００３０】
基板３１には、複数ある第２孔３６の周囲にコイル３２がそれぞれ形成されている。各々のコイル３２は、コアを用いない（コアレスの）空芯コイルであり、第２孔３６内を通過する負荷電流（接続端子１４１又は接続端子１５１を流れる負荷電流）に応じた出力を発生するロゴスキコイルである。なお、本実施形態ではコイル３２が形成される第２孔３６は円形の孔となっているが、基板３１を貫通するように設けられていればよく、矩形の孔でも、基板３１の側縁に開放されたＵ字状の孔でもよい。また、本実施形態の分岐電流センサ３０では、第２孔３６の周囲にコイル３２が形成されているが、第１孔３５の周囲にコイル３２が形成されてもよい。また、本実施形態の分岐電流センサ３０は電流計測用のロゴスキコイルを備えるが、ロゴスキコイル以外の方法で電流を計測してもよい。例えば、ＧＭＲ（Giant Magneto Resistive effect）センサやカレントトランスやホール素子を用いて電流を計測しても良い。
【００３１】
基板３１には、複数の分岐ブレーカ２０の各々に対応してコイル３２が１個ずつ設けられており、隣接する２個のコイル３２を１組として、各組のコイル３２に対して１つずつ計測部３３が設けられている。各計測部３３の入力端と、対応する２つのコイル３２の出力端とは、基板３１の表面に形成された薄膜状の導電体からなる回路配線を介して電気的に接続されている。
【００３２】
各計測部３３は、増幅回路と、Ａ／Ｄ変換回路と、積分回路と、信号処理回路とを備えている。また、各計測部３３は、対応する２つのコイル３２から出力されるアナログ信号を時分割で交互に取得する。
【００３３】
増幅回路は、コイル３２から出力されるアナログ信号を増幅するアンプで構成されている。Ａ／Ｄ変換回路は、増幅回路から出力されるアナログ信号をディジタル信号に変換するように構成されている。積分回路は、Ａ／Ｄ変換回路から出力されるディジタル信号を積分するように構成されている。
【００３４】
ここで、コイル３２から出力されるアナログ信号は、接続端子１４１又は接続端子１５１に流れる負荷電流を微分した値となる。このため、積分回路は、Ａ／Ｄ変換回路から出力されるディジタル信号を積分することで、接続端子１４１又は接続端子１５１に流れる負荷電流を示すディジタル信号を生成する。なお、本実施形態の計測部３３では、ディジタルフィルタで積分回路を構成している。
【００３５】
信号処理回路は、積分回路から出力されるディジタル信号を処理することで、接続端子１４１又は接続端子１５１に流れる負荷電流のデータを生成するように構成されている。また、信号処理回路は、負荷電流のデータを電流信号として演算部３４に出力するように構成されている。
【００３６】
演算部３４はＡ／Ｄ変換回路と信号処理回路とを備える。Ａ／Ｄ変換回路には、主幹ブレーカ１０の二次側に接続される電路の線間電圧に応じた電圧信号が計測ユニット４０から入力され、この電圧信号をディジタルの電圧信号に変換するように構成されている。信号処理回路は、Ａ／Ｄ変換回路から出力されるディジタルの電圧信号と、各計測部３３から出力される電流信号とに基づいて、複数の分岐電路２０２の各々について瞬時電力を演算し、瞬時電力のデータを生成するように構成されている。また、信号処理回路は、各分岐電路２０２で消費される瞬時電力のデータを電力信号として設定装置５０に出力するように構成されている。ここで、分岐電路２０２には、定格電圧が１００Ｖの負荷が接続される１００Ｖ回路と、定格電圧が２００Ｖの負荷が接続される２００Ｖ回路とがある。そのため、複数の分岐電路２０２の各々で瞬時電力を正しく演算するためには、各々の分岐電路２０２が１００Ｖ回路であるか、２００Ｖ回路であるかを、分岐電流センサ３０に設定する必要がある。そこで、本実施形態の設定装置５０は、計測装置である分岐電流センサ３０に、複数の分岐電路２０２の各々が１００Ｖ回路であるか２００Ｖ回路であるかを、電力に関する計測値を計測するために使用する計測条件として設定している。なお、設定装置５０が設定する計測条件は、１００Ｖ回路か２００Ｖ回路かを示す情報に限定されず、分岐電路２０２に接続される機器の種類（例えば太陽光発電装置やヒートポンプ式給湯装置）などの情報を含んでもよい。
【００３７】
計測ユニット４０は、図３に示すように、主幹ブレーカ１０の下側に取り付けられていて、分岐電流センサ３０と電気的に接続されている。計測ユニット４０は、主幹ブレーカ１０の二次側に接続される電路（単相三線式の配電路）から線間電圧（Ｌ１−Ｎ相間、Ｌ２−Ｎ相間、Ｌ１−Ｌ２相間）をそれぞれ計測し、線間電圧のデータを電圧信号として分岐電流センサ３０に出力する機能を有している。
【００３８】
計測ユニット４０には、分岐ブレーカ２０に接続される分岐電路２０２以外の増設回路（例えば主幹ブレーカ１０の二次側の測定点や別の分電盤の回路）で電流を測定するためのカレントトランスが接続可能である。計測ユニット４０にカレントトランスが接続された場合、計測ユニット４０は、カレントトランスを用いて測定された電流値と線間電圧とを用いて瞬時電力を演算し、瞬時電力のデータを設定装置５０に出力するように構成されている。ここで、増設回路にも１００Ｖ回路と２００Ｖ回路とがある。そのため、増設回路で瞬時電力を演算するためには、増設回路が１００Ｖ回路であるか、２００Ｖ回路であるかを、計測ユニット４０に設定する必要がある。そこで、本実施形態の設定装置５０は、計測装置である計測ユニット４０に、増設回路が１００Ｖ回路であるか２００Ｖ回路であるかを計測条件として設定している。なお、設定装置５０が設定する計測条件は、１００Ｖ回路か２００Ｖ回路かを示す情報に限定されず、増設回路に接続される機器の種類（例えば太陽光発電装置やヒートポンプ式給湯装置）などの情報を含んでもよい。
【００３９】
本実施形態の分電盤１００では、計測ユニット４０は、何れかの分岐ブレーカ２０の二次側端子に接続され、この分岐ブレーカ２０を介して電力が供給されている。また、計測ユニット４０は設定装置５０とも電気的に接続されている。計測ユニット４０は、カレントトランスが接続されている場合は、設定装置５０によって設定された計測条件をもとに、増設回路での瞬時電力を演算し、瞬時電力の計測データを設定装置５０に出力し、かつ動作に必要な電力を設定装置５０に供給する。
【００４０】
ところで、本実施形態の分電盤１００では、主幹ブレーカ１０の二次側の電路（導電バー）に二次連系ブレーカ２００が電気的に接続されている。二次連系ブレーカ２００には、電力系統への逆潮流が許容されていない分散電源が電気的に接続されている。この種の分散電源としては、例えば燃料電池やガス発電装置や蓄電装置などがある。なお、本実施形態の分電盤１００が、二次連系ブレーカ２００を備えるか否かは任意である。
【００４１】
また、本実施形態の分電盤１００は、キャビネット本体１１１における主幹ブレーカ１０の左側に、一次連系ブレーカが取り付けられるスペースを有している。図３に示すように、キャビネット本体１１１には、このスペースに、一次連系ブレーカを取り付けるための支持台１１３が取り付けられている。分電盤１００が一次連系ブレーカを備える場合、一次連系ブレーカは支持台１１３に取り付けられる。一次連系ブレーカには、電力系統への逆潮流が許容されている分散電源が電気的に接続される。この種の分散電源としては例えば太陽光発電装置がある。なお、本実施形態の分電盤１００が、一次連系ブレーカを備えるか否かは任意である。
【００４２】
設定装置５０は、計測装置である分岐電流センサ３０及び計測ユニット４０が電力に関する計測値を計測するために使用する計測条件を設定する機能を備えている。また設定装置５０は、分電盤１００の外部に設置されるコントローラ４との間で通信する機能を有している。また、設定装置５０は、ブロードバンドルータ（以下、ルータと言う。）２及び外部ネットワーク３を介してサーバ装置６との間で通信する機能を有している。
【００４３】
設定装置５０は、図１に示すように、ＭＭＩ（Man Machine Interface）５１と、演算処理ブロック５２と、記憶部５３と、メモリカードインタフェース５４と、通信ブロック５５とを備えている。設定装置５０は箱状のケース５００を備え、このケース５００にＭＭＩ５１と演算処理ブロック５２と記憶部５３とメモリカードインタフェース５４と通信ブロック５５とを収納している（図５参照）。
【００４４】
ＭＭＩ５１は入力部５１１と表示部５１２とを備える。
【００４５】
入力部５１１は、ケース５００の前面に配置された複数個の操作ボタン５０１〜５０８を備える（図５参照）。操作ボタン５０１〜５０８のうち、上側にある４個の操作ボタン５０１〜５０４は、項目（表示部５１２に表示されている項目や設定対象の項目など）をスクロールするための操作ボタンである。最上列にある２個の操作ボタン５０１，５０２のうち、左側の操作ボタン５０１は早戻し操作の操作ボタン、右側の操作ボタン５０２は早送り操作の操作ボタンである。上から２列目の操作ボタン５０３，５０４のうち、左側の操作ボタン５０３は戻し操作のための操作ボタンであり、右側の操作ボタン５０４は送り操作のための操作ボタンである。上から３列目の操作ボタン５０５，５０６は設定内容を変更するために操作される操作ボタンである。設定内容が数値の場合、左側の操作ボタン５０５は設定値を増加させるために操作される操作ボタンであり、右側の操作ボタン５０６は設定値を減少させるために操作される操作ボタンである。左下にある操作ボタン５０７は、表示部５１２に表示されている項目について、設定内容を表示部５１２に表示させるために操作される操作ボタンである。右下にある操作ボタン５０８は、設定モードへの切り替えや、設定内容を確定させるために操作される操作ボタンである。
【００４６】
表示部５１２は、ケース５００の前面に配置された２桁の７セグメント表示器５０９を備えている。表示部５１２は、動作状態や設定内容などの情報を、文字と数字と記号との少なくとも１つを用いて表示する。なお、表示部５１２は、７セグメント表示器に限定されず、１６セグメントＬＥＤや、ドットマトリクスＬＥＤや、液晶ディスプレイなどでもよい。
【００４７】
ここにおいて、操作ボタン５０１〜５０７は、ケース５００の前面において、内蓋１２０及び蓋板１２２で覆われる部位に設けられている。したがって、内蓋１２０及び蓋板１２２〜１２５からなる蓋がキャビネット本体１１１に取り付けられた状態では、操作ボタン５０１〜５０７は蓋（内蓋１２０及び蓋板１２２〜１２５からなる）で覆われている。
【００４８】
一方、操作ボタン５０８は、ケース５００の前面において蓋板１２２の貫通孔１２７に対応する部位に設けられ、７セグメント表示器５０９は、ケース５００の前面において蓋板１２２の貫通孔１２６に対応する部位に設けられている。したがって、内蓋１２０及び蓋板１２２〜１２５でキャビネット本体１１１の開口部１１４が覆われた状態でも、操作ボタン５０８は貫通孔１２７を通して操作可能であり、７セグメント表示器５０９の表示内容は貫通孔１２６を通して目視可能になっている。
【００４９】
なお本実施形態では操作ボタン５０８が蓋板１２２の貫通孔１２７から露出しているが、操作ボタン５０８を前面側に露出させず、蓋板１２２に設けられた押釦を押すと、この押釦の後部で操作ボタン５０８が押されるように構成されてもよい。
【００５０】
演算処理ブロック５２は、マイクロコンピュータを主要な構成とし、マイクロコンピュータが記憶部５３に記憶されたプログラムを実行することによって設定部５２１の機能が実現される。
【００５１】
設定部５２１は、入力部５１１から入力される情報に基づいて、計測装置（分岐電流センサ３０及び計測ユニット４０）が計測対象の回路について電力に関する値を計測するために使用する計測条件を、この計測装置に設定する。
【００５２】
記憶部５３はＲＯＭ（Read Only Memory）及びＲＡＭ（Random Access Memory）を備える。また記憶部５３は、ＥＥＰＲＯＭ（Electrically Erasable and Programmable Read Only Memory）のような電気的に書き換え可能な不揮発性メモリを備えてもよい。記憶部５３は、演算処理ブロック５２を構成するマイクロコンピュータが実行するプログラムや、計測装置（分岐電流センサ３０及び計測ユニット４０）に設定した計測条件の設定値などを記憶する。なお、演算処理ブロック５２を構成するマイクロコンピュータが実行するプログラムは、電気通信回線を通じて提供されてもよいし、メモリカードなどの記憶媒体に記憶されて提供されてもよい。
【００５３】
メモリカードインタフェース５４にはメモリカード９が着脱自在に接続され、接続されたメモリカード９へのデータの書き込みや読み出しを行う機能を有している。
【００５４】
通信ブロック５５は、外部と通信するための通信機能として、無線通信部５５１と有線通信部５５２とを備えている。なお、通信ブロック５５は、無線通信部５５１と有線通信部５５２を両方共に備えているが、何れか一方のみでもよい。
【００５５】
無線通信部５５１は、免許が不要な近距離の無線通信を行うための通信モジュールを備え、建物Ｂ１内に設置されたコントローラ４との間で無線通信を行う。本実施形態の無線通信部５５１は、例えば特定小電力無線の通信方式を採用しているが、無線免許が不要な通信方式であれば、特定小電力無線以外の通信方式でもよい。この種の通信方式としては、ＩＥＥＥ（Institute of Electrical and Electronics Engineers）８０２．１５．１に準拠した通信方式や、ＩＥＥＥ８０２．１５．４に準拠した通信方式がある。
【００５６】
有線通信部５５２は、分電盤１００の内部に配線されたＬＡＮ（Local Area Network）ケーブルを介して分岐電流センサ３０及び計測ユニット４０に接続される。有線通信部５５２は、分岐電流センサ３０及び計測ユニット４０との間でデータを送受信する機能を備えている。また、有線通信部５５２は、建物Ｂ１内に設置されたルータ２にＬＡＮケーブルを介して接続可能であり、ルータ２を介してコントローラ４との間でデータを送受信する機能も備えている。ルータ２はインターネットのような外部ネットワーク３に接続されており、有線通信部５５２はルータ２及び外部ネットワーク３を介してサーバ装置６との間でデータを送受信することもできる。
【００５７】
コントローラ４は、需要家（facility）内に設置されて、需要家でのエネルギー需給を管理する。このコントローラ４は、例えばＨＥＭＳ（Home Energy Management System）用のコントローラであり、ＨＥＭＳに対応する機器８０の監視又は制御を行う機能を有している。コントローラ４は、建物Ｂ１内に配置された表示端末５と通信（無線通信又は有線通信）を行う機能を有している。コントローラ４は、ＨＥＭＳに対応する機器８０の監視又は制御を行うための表示画面を表示端末５に表示させる。表示端末５は、専用の端末でもよいし、タブレット型のコンピュータや、スマートフォンや、テレビジョンの視聴装置でもよい。なお、コントローラ４の機能を設定装置５０が備えてもよい。この場合は、コントローラ機能を有する設定装置５０が、需要家でのエネルギーの需給を管理し、ＨＥＭＳに対応する機器８０の監視又は制御を行う。
【００５８】
ＨＥＭＳに対応する機器８０は、エネルギーの需給を把握するために必要な管理対象であればよい。このような機器８０には、例えば、照明器具８１のオン、オフを切り替えるスイッチ装置８２や、冷凍冷蔵庫８３や、空調装置８４などの、電力を消費する電気機器がある。これらの電気機器のうち、冷凍冷蔵庫８３及び空調装置８４は通信機能を有しており、コントローラ４は冷凍冷蔵庫８３及び空調装置８４と直接通信を行うことで、冷凍冷蔵庫８３及び空調装置の監視又は制御を行う。一方、通信機能を備えていない照明器具８１のような電気機器の場合、照明器具８１を点灯又は消灯させるスイッチ装置として通信機能を有するスイッチ装置８２を用い、コントローラ４がこのスイッチ装置８２の動作を監視又は制御すればよい。すなわち、コントローラ４は、スイッチ装置８２と通信を行い、スイッチ装置８２のオン、オフ状態を監視したり制御したりすることで、照明器具８１の動作状態の監視及び制御を行う。また、ＨＥＭＳに対応する機器８０には、太陽光発電装置や燃料電池などのエネルギーを創出する機器や、蓄電装置や電気自動車などのエネルギーを蓄える機器も含まれる。なお、ＨＥＭＳに対応する機器８０は上記の機器に限定されるものではない。
【００５９】
また設定装置５０には、通信ブロック５５が通信可能な機器以外の機器と通信するために、第１通信アダプタ６０及び第２通信アダプタ７０が接続可能である。
【００６０】
第１通信アダプタ６０は、設定装置５０と機械的に結合され、且つ電気的に接続される。本実施形態では、設定装置５０の下側に第１通信アダプタ６０が接続される。
【００６１】
第１通信アダプタ６０には、太陽光発電装置、蓄電装置、電力変換装置などのエネルギーを創出又は蓄積する機器９０や、ガスメータ、水道メータが接続可能である。第１通信アダプタ６０は、機器９０やガスメータや水道メータと通信する機能を設定装置５０に付加するために使用される。電力変換装置は電気自動車に電気的に接続され、分電盤１００から電気自動車への単方向充電を行うための電力変換の他、双方向に電力変換を行うことで電気自動車が備える蓄電池の充電及び放電の両方に用いられてもよい。ガスメータや水道メータは使用量に応じたパルス信号を出力する。第１通信アダプタ６０は、ガスメータや水道メータからパルス信号を受信し、予め決められている１パルス当たりの使用量の換算値（換算レート）を用いて、使用量に換算する。
【００６２】
第１通信アダプタ６０と太陽光発電装置、蓄電装置、電力変換装置との間の通信方式は、例えばＲＳ−４８５等の有線通信とする。なお、第１通信アダプタ６０は、例えばヒートポンプ式の加熱源を有する貯湯型の給湯装置等と通信可能なように構成されてもよい。第１通信アダプタ６０とガスメータ、水道メータとの間の通信方式は、有線通信とする。なお第１通信アダプタ６０とガスメータ、水道メータとの間の通信方式は、有線通信に限らず、無線通信であってもよい。
【００６３】
第２通信アダプタ７０は、設定装置５０と機械的に結合され、且つ電気的に接続される。本実施形態では設定装置５０の上側に第２通信アダプタ７０が取り付けられる。第２通信アダプタ７０は、通信機能を有する電力メータ７との間で通信する機能を有している。この種の電力メータ７は、所謂スマートメータであって、需要家での使用電力量を計測し、配電線に接続されているコンセントレータとの間で通信を行うことによって、遠隔検針を可能にするように構成されている。また、電力メータ７は、第２通信アダプタ７０との間で通信を行うことにより、計量値（使用電力量）や節電要請（ＤＲ要請）等を第２通信アダプタ７０に送信することができる。なお、節電要請は、電力供給事業者等が運営するサーバから需要家に向けて送信される、消費電力の抑制を要請するための情報である。
【００６４】
第２通信アダプタ７０と電力メータ７との間の通信方式は、例えば特定小電力無線通信のような、無線免許が不要な無線通信である。なお、第２通信アダプタ７０と電力メータ７との間の通信方式は、有線ＬＡＮや電力線搬送通信（ＰＬＣ：Power Line Communications）などの有線通信でもよい。
【００６５】
ここで、第２通信アダプタ７０は、電力メータ７から受信した計量値を設定装置５０に出力してもよい。この場合、コントローラ４は、設定装置５０との間で通信を行うことによって、設定装置５０から計量値を取得し、この計量値を用いて機器を制御してもよい。この構成では、コントローラ４は、電力メータ７から送信される計量値に基づいて機器の監視又は制御を行うことができる。
【００６６】
本実施形態の計測システム１では、計測装置である分岐電流センサ３０が、計測対象の分岐電路２０２について電力に関する計測値を正しく計測できるように、各々の分岐電路２０２が１００Ｖ回路か２００Ｖ回路かを分岐電流センサ３０に設定する必要がある。同様に、計測装置である計測ユニット４０が、計測対象の増設回路について電力に関する計測値を正しく計測できるように、計測対象の増設回路が１００Ｖ回路か２００Ｖ回路かを計測ユニット４０に設定する必要がある。
【００６７】
本実施形態の設定装置５０は、計測装置である分岐電流センサ３０及び計測ユニット４０に計測条件を設定する設定部５２１を備えている。設定部５２１は、分岐電流センサ３０及び計測ユニット４０が計測対象の回路について電力に関する計測値を計測するために使用する計測条件（例えば回路の電圧値など）を設定する機能を備えている。設定部５２１は、計測条件を設定する設定モードとして、第１モードと第２モードの２つのモードを備えている。ここにおいて、計測装置（分岐電流センサ３０及び計測ユニット４０）の計測対象である複数の回路は、分電盤１００によって電力が分配される複数の分岐電路２０２を含み、本実施形態では分岐電路２０２の他に増設回路を含む。増設回路としては、例えば主幹ブレーカ１０の二次側の測定点や、別の分電盤の回路などがある。なお、本実施形態では計測装置として分岐電流センサ３０と計測ユニット４０とを備えているが、分岐電路２０２の電力を計測する分岐電流センサ３０のみでもよい。
【００６８】
第１モードは、例えばユーザの操作によって入力部５１１から入力される操作入力に応じて複数の回路（分岐電路２０２及び増設回路）の各々について計測条件を計測装置（分岐電流センサ３０及び計測ユニット４０）に個別に設定するモードである。
【００６９】
第２モードは、複数の回路のうち２以上の回路についての計測条件を、他の機器から一括して取得し、一括して取得した計測条件を計測装置（分岐電流センサ３０及び計測ユニット４０）に設定するモードである。
【００７０】
本実施形態では他の装置としてサーバ装置６が用いられる。設定装置５０は、第２モードにおいて予め登録されたサーバ装置６にアクセスし、サーバ装置６から計測条件の設定をダウンロードする。
【００７１】
サーバ装置６は演算処理部６１と記憶装置６２と通信部６３とを備える。演算処理部６１はマイクロコンピュータを主構成として備え、記憶装置６２に記憶されたプログラムをマイクロコンピュータが実行することによって、所定の機能を実現する。記憶装置６２はＲＯＭ及びＲＡＭを備え、演算処理部６１が実行するプログラムや、計測装置が計測対象の回路について計測値を計測するために使用する計測条件を記憶する。通信部６３は外部ネットワーク３及びルータ２を経由して設定装置５０と通信する機能を備えている。
【００７２】
ここで、建物Ｂ１が住宅メーカの建築する戸建て住宅の場合、住宅メーカは、間取りなどの仕様を共通化した商品（住宅）を提供している。そのため、間取りなどの仕様が類似した住宅の分電盤１００では、分電盤１００の構成（分岐電路２０２及び増設回路の数や電圧値など）が類似するから、計測対象の計測条件が類似した設定となる。したがって、サーバ装置６の記憶装置６２には、分電盤１００の標準的な盤構成に基づいて、計測対象の回路の各々について、計測条件の設定内容が予め登録されている。なお、記憶装置６２には、複数種類の盤構成について計測条件の設定内容が登録されていてもよい。この場合、記憶装置６２には、盤構成の種類ごとに登録された計測条件の設定内容が、盤構成を特定する情報（以下、盤情報という。）と対応付けて記憶されている。
【００７３】
この設定装置５０を用いて、複数の回路の各々について計測条件を設定する作業について説明する。
【００７４】
設定作業を行うユーザは操作ボタン５０８を操作して、設定部５２１の設定モードを第２モードにセットする。設定部５２１の設定モードが第２モードにセットされると、設定部５２１は、通信ブロック５５を制御して、サーバ装置６にアクセスさせ、設定対象の分電盤１００の盤情報をサーバ装置６に送信させる。ここにおいて、分電盤１００の盤情報とは、例えば、盤構成（分岐電路２０２の回路数、増設回路の回路数、各回路に接続される機器の種類など）に応じて分電盤メーカが分電盤１００に割り当てた品番である。なお、分電盤１００の盤情報は、分電盤１００に収納される内器（例えば設定装置５００）の識別情報（例えばＭＡＣアドレスなど）でもよい。
【００７５】
サーバ装置６の通信部６３が、設定装置５０から送信された分電盤１００の盤情報を受信すると、演算処理部６１は、この情報をもとに設定対象の分電盤１００と盤構成が類似した分電盤についての計測条件を記憶装置６２から抽出する。演算処理部６１は、抽出した計測条件の情報を通信部６３から、要求元の設定装置５０に送信させる。これにより、設定装置５０は、盤構成が類似した分電盤１００について予め登録された計測条件の設定内容を、サーバ装置６から一括してダウンロードすることができる。設定装置５０の設定部５２１は、サーバ装置６から一括してダウンロードした計測条件を記憶部５３に記憶させる。ここで、設定装置５０は、サーバ装置６から計測対象の回路の全てについて計測条件を取得するように構成されてもよいが、必ずしも全ての回路について計測条件を取得する必要はなく、２以上の回路について計測条件を取得するように構成されていればよい。なお設定装置５０は、設定装置５０が備える記憶部５３に計測条件を記憶させているが、ネットワーク上に設けられたデータサーバに計測条件を記憶させてもよい。
【００７６】
次に、ユーザは操作ボタン５０８を操作して、設定部５２１の設定モードを第１モードにセットする。第１モードでは、複数の回路の各々について設定内容を変更することができる。第１モードにおいて、ユーザが操作ボタン５０１〜５０４を操作して、設定対象の回路（分岐電路２０２又は増設回路）を選択する操作を行うと、設定部５２１は、選択された回路の計測条件を記憶部５３から読み出し、表示部５１２に表示させる。
【００７７】
表示部５１２に表示された計測条件で問題がなければ、ユーザは操作ボタン５０１〜５０４を操作して、次の回路を選択する操作を行う。
【００７８】
表示部５１２に表示された計測条件が実際の回路と異なっている場合、ユーザは、操作ボタン５０５，５０６を操作して、実際の回路に応じた計測条件を入力する操作を行う。ユーザの操作によって計測条件が変更されると、設定部５２１は変更後の計測条件を記憶部５３に記憶させる。計測条件を変更する作業が終わると、ユーザは操作ボタン５０１〜５０４を操作して、次の回路を選択する操作を行う。
【００７９】
計測対象の回路の全てについて計測条件を設定し終えると、ユーザは、操作ボタン５０８を操作して、計測条件の設定内容を確定させる。設定部５２１は、入力部５１１から操作ボタン５０８の操作入力があると、記憶部５３から各回路の計測条件を読み出し、通信ブロック５５から対応する計測装置（分岐電流センサ３０又は計測ユニット４０）に送信させる。分岐電流センサ３０及び計測ユニット４０は、計測対象の回路についての計測条件が設定装置５０から入力されると、入力された計測条件を記憶部に記憶させ、この計測条件を用いて電力に関する計測値を計測する。このように、設定装置５０は、第２モードにおいて他の装置からダウンロードした計測条件を、修正の必要がある場合は第１モードで修正した上で、計測装置に設定しているから、計測条件を一つ一つ入力する場合に比べて設定の手間を少なくできる。
【００８０】
なお設定装置５０は、サーバ装置６からダウンロードした計測条件を変更すると、分電盤１００の盤情報と共に、変更後の計測条件を通信ブロック５５からサーバ装置６に送信させる。サーバ装置６の通信部６３が、設定装置５０から送信された分電盤１００の盤情報及び計測条件の設定内容を受信すると、演算処理部６１は、通信部６３が受信した計測条件の設定内容を盤情報と対応付けて記憶装置６２に記憶させる。これにより、サーバ装置６の記憶装置６２に記憶された計測条件の設定内容が充実されるので、記憶装置６２に記憶された計測条件を、盤構成が類似している別の設定装置５０で利用でき、計測条件を設定する作業の手間をさらに低減できる。
【００８１】
ところで、本実施形態では他の装置としてサーバ装置６が用いられるが、メモリカードインタフェース５４に接続されるメモリカード９を他の装置としてもよい。メモリカード９には、サーバ装置６と同様、複数種類の盤構成について計測条件の設定内容が、盤情報と対応付けて記憶されている。ここで、設定部５２１の設定モードが第２モードにセットされると、設定部５２１は、メモリカードインタフェース５４に接続されたメモリカード９にアクセスする。設定部５２１は、設定対象の分電盤１００の盤情報をもとに、メモリカード９に登録された計測条件の中から、盤構成が類似している計測条件を読み込み、読み込んだ計測条件の設定内容を記憶部５３に記憶させる。これにより、設定装置５０は、メモリカード９に登録された計測条件を利用して、計測対象の回路の各々について計測条件を設定できるから、設定の手間を少なくできる。
【００８２】
上述のように、本実施形態の設定装置５０は、計測装置（分岐電流センサ３０及び計測ユニット４０）が、複数の回路の各々について計測値を計測するために使用する計測条件を記憶部５３に設定する設定部５２１を備える。計測装置は、分電盤１００によって電力が分配される複数の分岐電路２０２を含む複数の回路の各々について、電力に関する計測値を計測する。設定部５２１は、計測条件を設定する設定モードとして第１モードと第２モードとを備える。第１モードは、操作入力に応じて複数の回路の各々について計測条件を記憶部５３に個別に設定する設定モードである。第２モードは、複数の回路のうち２以上の回路についての計測条件を他の機器（例えばサーバ装置６）から一括して取得（ダウンロード）し、一括して取得した計測条件を記憶部５３に設定する設定モードである。
【００８３】
この設定装置５０によれば、設定部５２１は第２モードにおいて２以上の回路についての計測条件を他の機器から取得して記憶部に設定しているので、計測条件を設定する手間を少なくできる。しかも、設定部５２１は第１モードにおいて各々の回路についての計測条件を設定可能であるから、第２モードで取得した計測条件を第１モードで変更することができ、より少ない手間で計測対象の回路についての計測条件を設定することができる。
【００８４】
この設定装置５０は、他の機器（本実施形態ではサーバ装置６）とネットワーク（本実施形態では建物Ｂ１内のＬＡＮ及び外部ネットワーク３）を経由して通信を行うように構成されてもよい。そして、設定部５２１は、第２モードにおいて、他の機器からネットワークを経由して計測条件を取得するように構成されてもよい。
【００８５】
これにより、設定装置５０は、他の機器とネットワークを経由して通信可能であれば、遠隔にある他の機器から計測条件を取得することができる。また、１台の他の機器に記憶された計測条件を複数台の設定装置５０が取得して、計測条件の設定に利用することができる、という利点もある。なお本実施形態では、設定装置５０と他の機器であるサーバ装置６とが外部ネットワーク３を介して通信しているが、設定装置５０と他の機器とがＬＡＮを介して通信するように構成されてもよい。
【００８６】
この設定装置５０において、設定部５２１は、第２モードにおいて、分電盤１００の構成を特定するための情報（盤情報）を他の機器（サーバ装置６）に送信し、他の機器から、分電盤１００の構成に対応付けて記憶された計測条件を取得してもよい。
【００８７】
これにより、設定対象の分電盤１００の構成に対応付けて記憶された計測条件を他の機器から取得することができる。
【００８８】
本実施形態において、設定部５２１は、第１モードにおいて、記憶部５３に設定する計測条件の内容を変更すると、変更後の計測条件を他の機器に送信して他の機器に記憶させるように構成されてもよい。
【００８９】
これにより、設定部５２１によって計測条件の内容が変更されると、変更後の計測条件が他の機器に蓄積されるから、変更後の計測条件を別の設定装置で計測条件を設定する際に利用できるようになり、設定の手間をさらに軽減できる。
【００９０】
本実施形態において、設定装置５０は、他の機器である記憶媒体（メモリカード９）が着脱自在に接続されるインタフェース（メモリカードインタフェース５４）を備えてもよい。設定部５２１は、第２モードにおいて、インタフェースに接続された記憶媒体から計測条件を取得するように構成される。
【００９１】
これにより、計測条件を記憶した記憶媒体をインタフェースに接続することで、記憶媒体に記憶された計測条件を利用して計測条件の設定を行うことができる。
【００９２】
また本実施形態の分電盤１００は、上述した設定装置５０と、主幹ブレーカ１０と、複数の分岐ブレーカ２０と、分電盤用キャビネット１１０とを備える。主幹ブレーカ１０は幹線（引き込み線２０１）に接続される。複数の分岐ブレーカ２０は、主幹ブレーカ１０の二次側に接続されて、電力を複数の分岐電路２０２に分岐させる。分電盤用キャビネット１１０は、設定装置５０と、主幹ブレーカ１０と、複数の分岐ブレーカ２０とを収納する。
【００９３】
分電盤１００は上述の設定装置５０を備えているので、計測対象の回路の各々について計測条件を設定する手間を低減した分電盤１００を実現できる。
【００９４】
本実施形態の計測システム１は、上述した設定装置５０と、計測条件を記憶装置６２に記憶するサーバ装置６とを備える。設定装置５０とサーバ装置６とはネットワーク（ＬＡＮ及び外部ネットワーク３）経由で通信を行うように構成される。設定装置５０の設定部５２１は、第２モードにおいて、他の機器であるサーバ装置６から記憶装置６２に記憶された計測条件を取得するように構成される。
【００９５】
この計測システム１によれば、設定装置５０は、第２モードにおいてサーバ装置６から計測条件を取得しており、サーバ装置６から取得した計測条件を用いて計測装置に設定することで、設定の手間を少なくできる。
（実施形態２）
図６に、本実施形態の計測システムの概略的なシステム構成図を示す。
【００９６】
本実施形態の計測システム１は、集合住宅Ｃ０の複数の住戸Ｃ１，Ｃ２に設置された分電盤１００に、実施形態１で説明した設定装置５０を収納した計測システムである。図６では２つの住戸Ｃ１，Ｃ２しか図示していないが、住戸の数は３つ以上の任意の数でもよい。なお、実施形態１と共通する構成要素には同一の符号を付して、その説明は省略する。
【００９７】
実施形態１では、設定装置５０が、サーバ装置６やメモリカード９から計測対象の回路の計測条件を取得しているが、本実施形態では、設定装置５０が、同じ集合住宅Ｃ０の他の住戸に設置された設定装置５０から計測条件の設定内容を取得している。
【００９８】
本実施形態の計測システム１が適用される集合住宅Ｃ０では、住戸Ｃ１，Ｃ２の各々で、間取りや計測対象の回路（分岐電路２０２及び増設回路）が共通になっており、分電盤１００の盤構成が同じ構成となっている。また、住戸Ｃ１，Ｃ２の構成は共通であるから、住戸Ｃ１を例に説明を行い、住戸Ｃ２については説明を省略する。
【００９９】
住戸Ｃ１内には実施形態１で説明した分電盤１００と同じ構成を有する分電盤１００が設置されている。分電盤１００に収納された設定装置５０は、実施形態１と同様、ルータ２及び外部ネットワーク３を経由してサーバ装置６と通信する機能を有している。なお、図６では分電盤１００の内部構成を省略して図示しているが、分電盤１００の構成は実施形態１で説明した分電盤１００と同じである。
【０１００】
設定装置５０は、同じ住戸に設置されたインターホン装置９１と、無線通信方式又は有線通信方式で通信する機能を備えている。インターホン装置９１は、住戸Ｃ１の玄関に設置されたドアホンや、集合住宅Ｃ０の共同玄関に設置されたロビーインターホンを用いて、住戸Ｃ１の外（住戸Ｃ１の玄関又は共同玄関の外側）にいる人物と通話するために設けられている。インターホン装置９１は、無線通信方式又は有線通信方式でコントローラ４と通信する機能を備えている。
【０１０１】
また設定装置５０は、集合住宅Ｃ０の共用部分に設置された制御装置９２と、集合住宅Ｃ０の構内に配線された通信回線９４を介して通信を行う機能を備えている。なお、制御装置９２は、通信回線９４を介して各住戸のインターホン装置９１及びロビーインターホンと電気的に接続され、各住戸のインターホン装置９１とロビーインターホンの間の通話を制御する機能を有している。
【０１０２】
また集合住宅Ｃ０の共用部分には、集合住宅Ｃ０に構築されたＬＡＮを、インターネットのような外部ネットワーク３に接続するために用いられるゲートウェイ９３が設置されており、制御装置９２はゲートウェイ９３を介して外部ネットワーク３に接続される。
【０１０３】
集合住宅Ｃ０の住戸Ｃ１，Ｃ２では、分電盤１００の盤構成が同じ構成となっているので、複数の住戸Ｃ１，Ｃ２の各々で、計測対象の回路の各々に設定する計測条件を同一にできる。
【０１０４】
したがって、例えば住戸Ｃ１の設定装置５０で計測条件が設定されれば、他の住戸Ｃ２の設定装置５０は、住戸Ｃ１の設定装置５０から計測条件の設定内容をダウンロードすればよく、設定の手間を少なくできる。以下、計測条件の設定手順について説明する。
【０１０５】
まず、設定作業を行う作業者は、住戸Ｃ１に設置された設定装置５０の設定モードを第１モードにセットし、複数の回路（分岐電路２０２及び増設回路）の各々について計測条件の設定を行う。第１モードでの設定作業は、実施形態１で説明した第１モードでの設定作業と同様であるから、その説明は省略する。なお、住戸Ｃ１に設置された設定装置５０に計測条件を設定する場合に、この設定装置５０の設定モードを第２モードとして、サーバ装置６から計測条件をダウンロードしてもよい。
【０１０６】
設定作業を行う作業者は、住戸Ｃ１に設置された設定装置５０の設定作業が終了すると、住戸Ｃ１の設定装置５０に設定済みの計測条件を利用して、他の住戸Ｃ２の設定装置５０に計測条件を設定する作業を行う。なお、住戸Ｃ１以外の住戸Ｃ２に設置された設定装置５０では、計測条件の取得先である他の装置として、住戸Ｃ１に設置された設定装置５０の識別情報（例えばＩＰアドレスなど）が登録されている。
【０１０７】
設定作業を行うユーザは、住戸Ｃ２に設置された設定装置５０の操作ボタン５０８を操作して、設定モードを第２モードにセットする。設定部５２１は、設定モードが第２モードにセットされると、通信ブロック５５を制御し、通信回線９４を介して住戸Ｃ１の設定装置５０に計測条件の要求信号を送信する。住戸Ｃ１に設置された設定装置５０では、通信ブロック５５が計測条件の要求信号を受信すると、設定部５２１が記憶部５３から計測条件の設定内容を読み出す。設定部５２１は、記憶部５３から読み出した計測条件を、要求信号の送信元である住戸Ｃ２の設定装置５０に通信ブロック５５から送信させる。
【０１０８】
住戸Ｃ２の設定装置５０では、通信ブロック５５が住戸Ｃ１の設定装置５０から送信された計測条件を受信すると、設定部５２１が、住戸Ｃ１の設定装置５０からダウンロードした計測条件を記憶部５３に記憶させる。
【０１０９】
次に、ユーザは住戸Ｃ２に設置された設定装置５０の操作ボタン５０８を操作して、設定部５２１の設定モードを第１モードにセットする。第１モードでは、複数の回路の各々について設定内容を変更することができる。第１モードにおいて、ユーザが操作ボタン５０１〜５０４を操作して、設定対象の回路（分岐電路２０２又は増設回路）を選択する操作を行うと、設定部５２１は、選択された回路の計測条件を記憶部５３から読み出し、表示部５１２に表示させる。
【０１１０】
表示部５１２に表示された計測条件で問題がなければ、ユーザは操作ボタン５０１〜５０４を操作して、次の回路を選択する操作を行う。
【０１１１】
表示部５１２に表示された計測条件が実際の回路と異なっている場合、ユーザは、操作ボタン５０５，５０６を操作して、実際の回路に応じた計測条件を入力する操作を行う。ユーザの操作によって計測条件が変更されると、設定部５２１は変更後の計測条件を記憶部５３に記憶させる。計測条件を変更する作業が終わると、ユーザは操作ボタン５０１〜５０４を操作して、次の回路を選択する操作を行う。
【０１１２】
計測対象の回路の全てについて計測条件を設定し終えると、ユーザは、操作ボタン５０８を操作して、計測条件の設定内容を確定させる。設定部５２１は、入力部５１１から操作ボタン５０８の操作入力があると、記憶部５３から各回路の計測条件の設定内容を読み出し、通信ブロック５５から対応する計測装置（分岐電流センサ３０又は計測ユニット４０）に送信させる。分岐電流センサ３０及び計測ユニット４０の各々は、計測対象の回路について計測条件の設定内容が設定装置５０から入力されると、入力された計測条件の設定内容を記憶部に記憶させる。
【０１１３】
このように、住戸Ｃ１以外の住戸にある設定装置５０では、住戸Ｃ１の設定装置５０から計測条件をダウンロードし、ダウンロードした計測条件を必要であれば修正して、記憶部５３に記憶させているので、計測条件を設定する手間を少なくできる。
【０１１４】
なお本実施形態では、住戸Ｃ１の設定装置５０と、住戸Ｃ１以外の住戸Ｃ２にある設定装置５０との間で通信回線９４を介して通信を行っているが、通信経路はこれに限定されない。例えば、別々の住戸に設置された設定装置５０の間で、ルータ２及び外部ネットワーク３を介して通信を行ってもよい。また、別々の住戸に設置された設定装置５０の間で、通信回線９４と各住戸のインターホン装置９１とを介して通信を行ってもよい。また、別々の住戸に設置された設定装置５０の間で、通信回線９４と、各住戸に設置されたインターホン装置９１及びコントローラ４を介して通信を行ってもよい。
【０１１５】
本実施形態の計測システム１は、上述した設定装置５０を複数備え、複数の設定装置５０のうち、計測条件の設定を行う設定装置５０の設定部５２１が、第２モードにおいて、他の機器である他の設定装置５０から計測条件を取得するように構成されている。
【０１１６】
この計測システム１によれば、設定装置５０は、第２モードにおいてサーバ装置６から計測条件を取得しており、サーバ装置６から取得した計測条件を用いて計測装置に設定することで、設定の手間を少なくできる。
【符号の説明】
【０１１７】
１  計測システム
３  外部ネットワーク（ネットワーク）
６  サーバ装置（他の機器）
９  メモリカード（記憶媒体）
１０  主幹ブレーカ
２０  分岐ブレーカ
３０  分岐電流センサ（計測装置）
４０  計測ユニット（計測装置）
５０  設定装置
５２１  設定部
５３  記憶部
５４  メモリカードインタフェース（インタフェース）
１００  分電盤
１１０  分電盤用キャビネット
２０１  （幹線）
２０２  分岐電路（回路）
【図１】
0006447910.tif 000002
【図２】
0006447910.tif 000003
【図３】
0006447910.tif 000004
【図４】
0006447910.tif 000005
【図５】
0006447910.tif 000006
【図６】
0006447910.tif 000007